(57)【要約】 【課題】ユーザの利便性を向上させることが可能な情報処理装置、情報処理方法、プログラムおよび画像形成装置を提供する。【解決手段】本発明に係る情報処理装置は、生成部と、保持部と、受付部と、判断部と、出力制御部とを備える。生成部は、１以上の印刷データを、印刷条件が設定される単位ごとに区分して示す第１情報と、単位ごとに設定される印刷条件を示す第２情報とを含む印刷ジョブを生成する。受付部は、保持部に保持された１以上の印刷ジョブのうち、指定された印刷ジョブを示す指定ジョブに対して、印刷範囲を指示する指示入力を受け付ける。判断部は、指示入力を受け付けた場合、指定ジョブに含まれる第１情報が示す単位ごとに、当該単位が、指示入力が示す印刷範囲に含まれるか否かを判断する。出力制御部は、一部分が印刷範囲に含まれると判断された単位については、単位に対する印刷条件の設定方法の選択肢を出力する制御を行う。【選択図】図３
2014089599.tif 000002
【特許請求の範囲】
【請求項１】
１以上の印刷データと、前記１以上の印刷データを、印刷を実行する際の条件を示す印刷条件が設定される単位ごとに区分して示す第１情報と、前記単位ごとに設定される前記印刷条件を示す第２情報とを含む印刷ジョブを生成する生成部と、
前記印刷ジョブを保持する保持部と、
前記保持部に保持された１以上の前記印刷ジョブのうち、指定された前記印刷ジョブを示す指定ジョブに対して印刷範囲を指示する指示入力を受け付ける受付部と、
前記指示入力を前記受付部で受け付けた場合、前記指定ジョブに含まれる前記第１情報が示す前記単位ごとに、当該単位が、前記指示入力が示す前記印刷範囲に含まれるか否かを判断する判断部と、
前記判断部により、一部分が前記印刷範囲に含まれると判断された前記単位については、前記単位に対する前記印刷条件の設定方法の選択肢を出力する制御を行う出力制御部と、を備える、
情報処理装置。
【請求項２】
前記選択肢の少なくとも１つには、一部分が前記印刷範囲に含まれると判断された前記単位の全範囲を含むように前記印刷範囲を拡大し、かつ、前記指定ジョブに含まれる前記第２情報が示す前記印刷条件を当該単位に設定することが含まれる、
請求項１に記載の情報処理装置。
【請求項３】
前記選択肢の少なくとも１つには、一部分が前記印刷範囲に含まれると判断された前記単位のうち、前記印刷範囲に含まれる部分については、前記指定ジョブに含まれる前記第２情報が示す前記印刷条件を設定しないことが含まれる、
請求項１に記載の情報処理装置。
【請求項４】
前記印刷条件は、ステープルを含む後処理を実行することを示す後処理条件を含む、
請求項１に記載の情報処理装置。
【請求項５】
選択された前記選択肢に応じて、前記指定ジョブを変更する変更部と、
前記生成部により生成された前記印刷ジョブ、または、前記変更部により変更された前記指定ジョブを、記録媒体上に画像を形成する画像形成装置へ送信する送信部と、をさらに備える、
請求項１に記載の情報処理装置。
【請求項６】
１以上の印刷データと、前記１以上の印刷データを、印刷条件が設定される単位ごとに区分して示す第１情報と、前記単位ごとに設定される前記印刷条件を示す第２情報とを含む印刷ジョブを生成する生成ステップと、
前記印刷ジョブを保持する保持部に保持された１以上の前記印刷ジョブのうち、指定された前記印刷ジョブを示す指定ジョブに対して印刷範囲を指示する指示入力を受け付ける受付ステップと、
前記指示入力を受け付けた場合、前記指定ジョブに含まれる前記第１情報が示す前記単位ごとに、当該単位が、前記指示入力が示す前記印刷範囲に含まれるか否かを判断する判断ステップと、
前記判断ステップにより、一部分が前記印刷範囲に含まれると判断された前記単位については、前記単位に対する前記印刷条件の設定方法の選択肢を出力する制御を行う出力制御ステップと、を含む、
情報処理方法。
【請求項７】
コンピュータに、
１以上の印刷データと、前記１以上の印刷データを、印刷条件が設定される単位ごとに区分して示す第１情報と、前記単位ごとに設定される前記印刷条件を示す第２情報とを含む印刷ジョブを生成する生成ステップと、
前記印刷ジョブを保持する保持部に保持された１以上の前記印刷ジョブのうち、指定された前記印刷ジョブを示す指定ジョブに対して印刷範囲を指示する指示入力を受け付ける受付ステップと、
前記指示入力を受け付けた場合、前記指定ジョブに含まれる前記第１情報が示す前記単位ごとに、当該単位が、前記指示入力が示す前記印刷範囲に含まれるか否かを判断する判断ステップと、
前記判断ステップにより、一部分が前記印刷範囲に含まれると判断された前記単位については、前記単位に対する前記印刷条件の設定方法の選択肢を出力する制御を行う出力制御ステップと、を実行させるためのプログラム。
【請求項８】
１以上の印刷データと、前記１以上の印刷データを、印刷を実行する際の条件を示す印刷条件が設定される単位ごとに区分して示す第１情報と、前記単位ごとに設定される前記印刷条件を示す第２情報とを含む印刷ジョブを生成する生成部と、
前記印刷ジョブを保持する保持部と、
前記保持部に保持された１以上の前記印刷ジョブのうち、指定された前記印刷ジョブを示す指定ジョブに対して印刷範囲を指示する指示入力を受け付ける受付部と、
前記指示入力を前記受付部で受け付けた場合、前記指定ジョブに含まれる前記第１情報が示す前記単位ごとに、当該単位が、前記指示入力が示す前記印刷範囲に含まれるか否かを判断する判断部と、
前記判断部により、一部分が前記印刷範囲に含まれると判断された前記単位については、前記単位に対する前記印刷条件の設定方法の選択肢を出力する制御を行う出力制御部と、を備える、
画像形成装置。
【発明の詳細な説明】
【技術分野】
【０００１】
本発明は、情報処理装置、情報処理方法、プログラムおよび画像形成装置に関する。
【背景技術】
【０００２】
従来、印刷ジョブを章立てあるいはセクションと称してサブセットに分割し、１つの印刷ジョブの中で章毎に印刷設定（例えば後処理設定など）を変更する技術が知られている。また、ステープルなどの後処理が指定された印刷ジョブがジャムなどで停止した場合に、再開印刷時には１ページ目から再出力してステープルする技術が知られている（例えば特許文献１参照）。
【発明の概要】
【発明が解決しようとする課題】
【０００３】
しかしながら、従来技術においては、章毎に印刷設定された印刷ジョブの印刷範囲を変更して再印刷する場合、一部分だけが再印刷の範囲に含まれる章については、再印刷の範囲に含まれる部分だけが印刷されるとともに、その再印刷の範囲に含まれる部分だけに対して当該章に対応する印刷設定が適用されてしまうので、例えばユーザが、当該章全体を印刷対象に設定した上で当該章に対応する印刷設定を設定する、あるいは、当該章に対応する印刷設定を設定しないことを希望する場合であっても、その希望する印刷結果を得ることができないという問題があった。すなわち、従来技術では、ユーザの利便性が損なわれていた。
【０００４】
本発明は、上記に鑑みてなされたものであって、ユーザの利便性を向上させることが可能な情報処理装置、情報処理方法、プログラムおよび画像形成装置を提供することを目的とする。
【課題を解決するための手段】
【０００５】
上述した課題を解決し、目的を達成するために、本発明は、１以上の印刷データと、前記１以上の印刷データを、印刷を実行する際の条件を示す印刷条件が設定される単位ごとに区分して示す第１情報と、前記単位ごとに設定される前記印刷条件を示す第２情報とを含む印刷ジョブを生成する生成部と、前記印刷ジョブを保持する保持部と、前記保持部に保持された１以上の前記印刷ジョブのうち、指定された前記印刷ジョブを示す指定ジョブに対して印刷範囲を指示する指示入力を受け付ける受付部と、前記指示入力を前記受付部で受け付けた場合、前記指定ジョブに含まれる前記第１情報が示す前記単位ごとに、当該単位が、前記指示入力が示す前記印刷範囲に含まれるか否かを判断する判断部と、前記判断部により、一部分が前記印刷範囲に含まれると判断された前記単位については、前記単位に対する前記印刷条件の設定方法の選択肢を出力する制御を行う出力制御部と、を備える情報処理装置である。
【０００６】
また、本発明は、１以上の印刷データと、前記１以上の印刷データを、印刷条件が設定される単位ごとに区分して示す第１情報と、前記単位ごとに設定される前記印刷条件を示す第２情報とを含む印刷ジョブを生成する生成ステップと、前記印刷ジョブを保持する保持部に保持された１以上の前記印刷ジョブのうち、指定された前記印刷ジョブを示す指定ジョブに対して印刷範囲を指示する指示入力を受け付ける受付ステップと、前記指示入力を受け付けた場合、前記指定ジョブに含まれる前記第１情報が示す前記単位ごとに、当該単位が、前記指示入力が示す前記印刷範囲に含まれるか否かを判断する判断ステップと、前記判断ステップにより、一部分が前記印刷範囲に含まれると判断された前記単位については、前記単位に対する前記印刷条件の設定方法の選択肢を出力する制御を行う出力制御ステップと、を含む情報処理方法である。
【０００７】
また、本発明は、コンピュータに、１以上の印刷データと、前記１以上の印刷データを、印刷条件が設定される単位ごとに区分して示す第１情報と、前記単位ごとに設定される前記印刷条件を示す第２情報とを含む印刷ジョブを生成する生成ステップと、前記印刷ジョブを保持する保持部に保持された１以上の前記印刷ジョブのうち、指定された前記印刷ジョブを示す指定ジョブに対して印刷範囲を指示する指示入力を受け付ける受付ステップと、前記指示入力を受け付けた場合、前記指定ジョブに含まれる前記第１情報が示す前記単位ごとに、当該単位が、前記指示入力が示す前記印刷範囲に含まれるか否かを判断する判断ステップと、前記判断ステップにより、一部分が前記印刷範囲に含まれると判断された前記単位については、前記単位に対する前記印刷条件の設定方法の選択肢を出力する制御を行う出力制御ステップと、を実行させるためのプログラムである。
【０００８】
さらに、本発明は、１以上の印刷データと、前記１以上の印刷データを、印刷を実行する際の条件を示す印刷条件が設定される単位ごとに区分して示す第１情報と、前記単位ごとに設定される前記印刷条件を示す第２情報とを含む印刷ジョブを生成する生成部と、前記印刷ジョブを保持する保持部と、前記保持部に保持された１以上の前記印刷ジョブのうち、指定された前記印刷ジョブを示す指定ジョブに対して印刷範囲を指示する指示入力を受け付ける受付部と、前記指示入力を前記受付部で受け付けた場合、前記指定ジョブに含まれる前記第１情報が示す前記単位ごとに、当該単位が、前記指示入力が示す前記印刷範囲に含まれるか否かを判断する判断部と、前記判断部により、一部分が前記印刷範囲に含まれると判断された前記単位については、前記単位に対する前記印刷条件の設定方法の選択肢を出力する制御を行う出力制御部と、を備える画像形成装置である。
【発明の効果】
【０００９】
本発明によれば、ユーザの利便性を向上させることができる。
【図面の簡単な説明】
【００１０】
【図１】図１は、実施形態の画像形成システムの概略構成例を示すブロック図である。
【図２】図２は、実施形態の情報処理装置のハードウェア構成例を示す図である。
【図３】図３は、実施形態の情報処理装置の機能構成例を示す図である。
【図４】図４は、印刷ジョブの構成例を模式的に示す図である。
【図５】図５は、印刷結果の一例を示す図である。
【図６】図６は、印刷結果の一例を示す図である。
【図７】図７は、印刷結果の一例を示す図である。
【図８】図８は、実施形態の情報処理装置の動作例を示すフローチャートである。
【発明を実施するための形態】
【００１１】
以下、添付図面を参照しながら、本発明に係る情報処理装置、情報処理方法、プログラムおよび画像形成装置の実施形態を詳細に説明する。
【００１２】
図１は、本実施形態の画像形成システム１００の概略構成例を示すブロック図である。図１に示すように、画像形成システム１００は、情報処理装置１０と、画像形成装置２０とを含む。ここでは、情報処理装置１０は、ユーザが使用するＰＣ（Personal  Computer）で構成される。この例では、ユーザが使用するＰＣが、請求項の「情報処理装置」に対応している。情報処理装置１０の詳細な機能については後述する。画像形成装置２０は、情報処理装置１０から送られてくる印刷ジョブに従って印刷を実行する。画像形成装置２０は、用紙などの記録媒体上に画像を形成する機能を有するものであればよく、例えば印刷機能、複写機能、スキャナ機能、および、ファクシミリ機能のうちの少なくとも２つの機能を有する複合機（ＭＦＰ：Multifunction  Peripheral）で構成されてもよい。
【００１３】
図２は、情報処理装置１０のハードウェア構成例を示す図である。図２に示すように、情報処理装置１０は、ＣＰＵ１０１と、ＲＯＭ１０２と、ＲＡＭ１０３と、操作部１０４と、表示部１０５と、通信Ｉ／Ｆ部１０６とを備える。
【００１４】
ＣＰＵ１０１は、情報処理装置１０全体の動作を制御する装置である。ＲＯＭ１０２は、不揮発性のメモリであり、プログラムや各種のデータを記憶する。ＲＡＭ１０４は、揮発性のメモリであり、ＣＰＵ１０１の作業領域（ワークメモリ）として機能する。操作部１０４は、ユーザが各種の入力を行うためのデバイスであり、例えばキーボードなどで構成され得る。表示部１０５は、各種の情報を表示するためのデバイスであり、例えば液晶ディスプレイ装置などで構成され得る。通信Ｉ／Ｆ部１０６は、画像形成装置２０と通信するためのインタフェースである。
【００１５】
図３は、情報処理装置１０の機能構成例を示すブロック図である。図３に示すように、情報処理装置１０は、受付部１１と、生成部１２と、保持部１３と、判断部１４と、出力制御部１５と、変更部１６と、送信部１７とを備える。
【００１６】
受付部１１は、各種の入力を受け付ける機能を有する。生成部１２は、ユーザの操作入力に応じて、印刷ジョブを生成する機能を有する。図４は、生成部１２により生成された印刷ジョブの一例を示す図である。図４に示すように、印刷ジョブは、印刷対象の画像データを示す１以上の印刷データと、印刷設定情報とを含む。
【００１７】
印刷データの形式としては、例えばＰＤＦ（Portable  Document  Format）形式を用いることもできるが、これに限られるものではなく、印刷データのデータ形式としては任意の形式を用いることができる。図４の例では、印刷物の構成単位をページと呼び（１枚の紙の１つの面が１ページに相当）、各印刷データは、１ページ単位の画像データである。図４に例示された印刷ジョブは、３０ページ分の印刷データを含んでいる。
【００１８】
印刷設定情報は、印刷データの印刷を実行する際の条件を示す印刷条件を指定するジョブコマンドである。ジョブコマンドの形式としては例えばＪＤＦ（Job  Definition  Format）などを用いることもできるが、これに限られるものではない。図４に示すように、印刷設定情報は、第１情報と第２情報とを含む。第１情報は、１以上の印刷データを、印刷条件が設定される単位（この例では「章」と呼ぶが、呼び方は任意であり、セクションやサブセットでもよい）ごとに区分して示す情報である。図４の例では、３０ページの印刷データは、３つの章（第１章、第２章、第３章）に区分され、第１章は、１ページ目〜１０ページ目までの印刷データで構成され、第２章は、１１ページ目〜２０ページ目までの印刷データで構成され、第３章は、２１ページ目〜３０ページ目までの印刷データで構成されることが第１情報により示されている。
【００１９】
第２情報は、章ごとに設定される印刷条件を示す情報である。図４に例示された第２情報は、章毎に、左二箇所のステープルが実行されることを示す後処理条件を示す情報である。この例では、章毎に、ステープルを実行することを示す後処理条件が印刷条件として設定されているので、図４に例示された印刷ジョブに含まれる全ての印刷データを印刷する場合（全ページを印刷する場合）、印刷結果は、図５のようになる。
【００２０】
なお、章毎に設定される印刷条件は任意である。例えば章毎に、折りやパンチを実行することを示す後処理条件が設定される形態であってもよいし、例えば章毎に、両面印刷を実行することを示す印刷条件が設定される形態であってもよい。また、各章に設定される印刷条件が互いに同じであってもよいし、互いに異なっていてもよい。生成部１２は、ユーザの操作入力に応じて、以上のような印刷ジョブを生成する機能を有する。
【００２１】
再び図３に戻って説明を続ける。保持部１３は、生成部１２により生成された印刷ジョブを保持する機能を有する。本実施形態では、ユーザは、操作部１０４を操作することにより、保持部１３に保持された１以上の印刷ジョブのうちの何れかを指定することができる。また、ユーザは、操作部１０４を操作することにより、指定したジョブに対して、印刷範囲を指示する入力を行うこともできる。
【００２２】
判断部１４は、保持部１３に保持された１以上の印刷ジョブのうち、指定された印刷ジョブを示す指定ジョブに対して印刷範囲を指示する指示入力を受付部１１で受け付けた場合、その指定ジョブに含まれる第１情報が示す章ごとに、当該章の範囲が、当該指示入力が示す印刷範囲に含まれるか否かを判断する機能を有する。
【００２３】
出力制御部１５は、判断部１４により、一部分が印刷範囲に含まれると判断された章については、当該章に対する印刷条件の設定方法の選択肢を出力する制御を行う。いま、ユーザが、保持部１３に保持された１以上の印刷ジョブのうち図４に例示された印刷ジョブを指定し、その指定した印刷ジョブに対して、５〜２０ページを印刷範囲として指示する指示入力を行った場合を想定する。図４に例示された印刷ジョブは、元々は、章毎にステープルを実行することを示す後処理条件が設定されるジョブなので、ユーザが得たい結果としては、図６に例示された印刷結果Ｂのように章全体を出力し直してステープルするか、図７に例示された印刷結果Ｃのように章全体が印刷範囲に含まれなければステープルせずに出力することが想定される。
【００２４】
そこで、本実施形態では、出力制御部１５は、指示入力が示す印刷範囲（５〜２０ページ）に一部分が含まれると判断された章（この例では第１章）については、印刷結果Ｂおよび印刷結果Ｃのうちの何れかを選択することを促す画像（印刷結果Ｂに対応する選択肢と印刷結果Ｃに対応する選択肢を示す画像）を表示部１０５に表示（出力の一例）する制御を行う。すなわち、表示部１０５に表示される選択肢の少なくとも１つには、指示入力が示す印刷範囲に一部分が含まれると判断された章の全範囲を含むように印刷範囲を拡大し、かつ、指定ジョブに含まれる第２情報が示す印刷条件を当該章に設定すること（印刷結果Ｂに対応する選択肢）が含まれる。また、上記選択肢の少なくとも１つには、指示入力が示す印刷範囲に一部分が含まれると判断された章のうち、当該印刷範囲に含まれる部分については、指定ジョブに含まれる第２情報が示す印刷条件を設定しないこと（印刷結果Ｃに対応する選択肢）が含まれる。ユーザは、操作部１０４を操作、あるいは、表示部１０５の画面に直接タッチすることで、表示部１０５に表示された選択肢のうちの何れかを選択する入力（選択入力）を行うことができる。
【００２５】
図３に示す変更部１６は、選択された選択肢に従って、指定ジョブを変更する機能を有する。また、図３に示す送信部１７は、生成部１２により生成された印刷ジョブ、または、変更部１６により変更された指定ジョブを画像形成装置２０へ送信する機能を有する。例えば印刷結果Ｂに対応する選択肢が選択された場合、変更部１６は、印刷範囲を１〜２０ページに広げた上で、第１章、第２章をそれぞれステープルする設定の印刷ジョブを画像形成装置２０へ送信する。一方、印刷結果Ｃに対応する選択肢が選択された場合、変更部１６は、印刷範囲を、指示入力が示す５〜２０ページに設定し、第１章はステープルせずに、第２章のみステープルする設定の印刷ジョブを作り直して画像形成装置２０へ送信する。これにより、ユーザは、期待通りの印刷結果を得ることができる。
【００２６】
なお、本実施形態では、出力制御部１５は、選択肢を示す画像を表示部１０５に表示する制御を行っているが、これに限らず、例えば出力制御部１５は、選択肢を示す音声を、スピーカを介して出力する形態であってもよい。要するに、出力制御部１５は、判断部１４により、一部分が印刷範囲に含まれると判断された章については、当該章に対する印刷条件の設定方法の選択肢を出力する制御を行う形態であればよい。
【００２７】
本実施形態では、情報処理装置１０の各部（受付部１１、生成部１２、判断部１４、出力制御部１５、変更部１６、送信部１７）の機能は、ＣＰＵ１０１がＲＯＭ１０２等に格納されたプログラムをＲＡＭ１０３上に展開して実行することにより実現されるが、これに限らず、例えば上述の各部（受付部１１、生成部１２、判断部１４、出力制御部１５、変更部１６、送信部１７）の機能のうちの少なくとも一部が専用のハードウェア回路で実現される形態であってもよい。また、上述の保持部１３は、例えばＲＯＭ１０２等により実現可能である。
【００２８】
次に、図８を参照しながら、情報処理装置１０の動作例を説明する。ここでは、ユーザが、保持部１３に保持された１以上の印刷ジョブのうちの何れかを指定し、その指定した印刷ジョブを示す指定ジョブの印刷範囲を変更して、画像形成装置２０に印刷を実行させる場合を想定する。図８は、この場合の情報処理装置１０の動作例を示すフローチャートである。まず、ユーザは、指定ジョブに対して印刷範囲を指示する指示入力を行い、受付部１１は、当該指示入力を受け付ける（ステップＳ１）。
【００２９】
次に、判断部１４は、章番号のカウント値を「１」に設定する（ステップＳ２）。次に、判断部１４は、指定ジョブに含まれる第１情報を参照して、カウント値が示す番号の章（例えばカウント値が「１」の場合は第１章）全体が、指示入力が示す印刷範囲に含まれるか否かを判断する（ステップＳ３）。当該章全体が印刷範囲に含まれると判断した場合（ステップＳ３：ＹＥＳ）、処理は、後述のステップＳ１０に移行する。
【００３０】
一方、当該章全体が印刷範囲に含まれないと判断した場合（ステップＳ３：ＮＯ）、判断部１４は、当該章の一部分が印刷範囲に含まれるか否かを判断する（ステップＳ４）。当該章の一部分が印刷範囲に含まれないと判断した場合（ステップＳ４：ＮＯ）、処理は、後述のステップＳ１０に移行する。一方、当該章の一部分が印刷範囲に含まれると判断した場合（ステップＳ４：ＹＥＳ）、判断部１４は、指定ジョブに含まれる第２情報を参照して、当該章に印刷条件が設定されているか否かを判断する（ステップＳ５）。
【００３１】
上述のステップＳ５において、判断部１４が、一部分が印刷範囲に含まれると判断した章に印刷条件が設定されていないと判断した場合（ステップＳ５：ＮＯ）、処理は、後述のステップＳ１０に移行する。一方、上述のステップＳ５において、判断部１４が、一部分が印刷範囲に含まれると判断した章に印刷条件が設定されていると判断した場合（ステップＳ５：ＮＯ）、出力制御部１５は、当該章に対する印刷条件の設定方法の選択肢を出力する制御を行う（ステップＳ６）。この例では、出力制御部１５は、印刷結果Ｂに対応する選択肢と、印刷結果Ｃに対応する選択肢を示す画像を表示部１０５に表示する制御を行う。
【００３２】
次に、印刷結果Ｂに対応する選択肢が選択された場合、つまり、印刷結果Ｂに対応する選択肢の選択入力を受付部１１で受け付けた場合（ステップＳ７：ＹＥＳ）、変更部１６は、ステップＳ４において一部分が印刷範囲に含まれると判断された章の全範囲を含むように印刷範囲を拡大し（ステップＳ８）、当該章に対して設定された印刷条件をそのまま維持する。つまり、元の指定ジョブに含まれる第２情報が示す印刷条件が、当該章に対して設定されることになる。一方、印刷結果Ｃに対応する選択肢が選択された場合（ステップＳ７：ＮＯ）、変更部１６は、ステップＳ４において一部分が印刷範囲に含まれると判断された章に対して設定された印刷条件を解除（オフ）する（ステップＳ９）。
【００３３】
次に、判断部１４は、章番号のカウント値を「１」だけカウントアップする（ステップＳ１０）。次に、判断部１４は、章番号のカウント値が、指定ジョブに含まれる第１情報が示す章の数を超えたか否かを判断する（ステップＳ１１）。章番号のカウント値が、指定ジョブに含まれる第１情報が示す章の数を超えていないと判断された場合（ステップＳ１１：ＮＯ）、処理は上述のステップＳ３に戻り、上述のステップＳ３以降の処理が繰り返される。一方、章番号のカウント値が、指定ジョブに含まれる第１情報が示す章の数を超えていると判断された場合（ステップＳ１１：ＹＥＳ）、送信部１７は、変更部１６により変更された指定ジョブを画像形成装置２０へ送信する（ステップＳ１２）。
【００３４】
以上に説明したように、本実施形態では、保持部１３に保持された１以上の印刷ジョブのうち、指定された印刷ジョブを示す指定ジョブに対して印刷範囲を指示する指示入力を受付部１１で受け付けた場合、指定ジョブに含まれる第１情報が示す章ごとに、当該章が、指示入力が示す印刷範囲に含まれるか否かを判断し、一部分が印刷範囲に含まれると判断された章については、当該章に対する印刷条件の設定方法の選択肢を出力する制御を行う。そして、ユーザにより選択された選択肢に応じて変更された指定ジョブに従った印刷が行われるので、ユーザが希望する印刷結果を得ることができるという有利な効果を奏する。
【００３５】
以上、本発明の実施形態を説明したが、上述の実施形態は、例として提示したものであり、発明の範囲を限定することは意図していない。本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。
【００３６】
例えば画像形成装置２０とは別に設けられて画像形成装置２０での画像の形成を制御するコントローラ（ＤＦＥ：Ｄｉｇｉｔａｌ  Ｆｒｏｎｔ  Ｅｎｄ）が、請求項の「情報処理装置」に対応する形態であってもよい。この形態では、ＤＦＥが、上述の受付部１１、生成部１２、保持部１３、判断部１４、出力制御部１５、変更部１６、および、送信部１７の各々の機能を有することになる。
【００３７】
また、上述のＤＦＥと画像形成装置２０が一体に構成される形態であってもよい。要するに、本発明は、画像形成装置に対して適用することも可能であり、本発明に係る画像形成装置は、生成部と、保持部と、受付部と、判断部と、出力制御部とを少なくとも備える形態であればよい。生成部は、１以上の印刷データと、１以上の印刷データを、印刷条件が設定される単位ごとに区分して示す第１情報と、単位ごとに設定される印刷条件を示す第２情報とを含む印刷ジョブを生成する。保持部は、生成部により生成された印刷ジョブを保持する。受付部は、保持部に保持された１以上の印刷ジョブのうち、指定された印刷ジョブを示す指定ジョブに対して印刷範囲を指示する指示入力を受け付ける。判断部は、指示入力を受付部で受け付けた場合、指定ジョブに含まれる第１情報が示す単位ごとに、当該単位が、指示入力が示す印刷範囲に含まれるか否かを判断する。出力制御部は、判断部により、一部分が印刷範囲に含まれると判断された単位については、単位に対する印刷条件の設定方法の選択肢を出力する制御を行う。
【００３８】
なお、上述の情報処理装置１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００３９】
さらに、上述の情報処理装置１０で実行されるプログラムを、インターネット等のネットワークに接続されたコンピュータ上に格納し、ネットワーク経由でダウンロードさせることにより提供するように構成してもよい。また、上述の情報処理装置１０で実行されるプログラムをインターネット等のネットワーク経由で提供または配布するように構成してもよい。
【符号の説明】
【００４０】
１０  情報処理装置
１１  受付部
１２  生成部
１３  保持部
１４  判断部
１５  出力制御部
１６  変更部
１７  送信部
２０  画像形成装置
１００  画像形成システム
１０１  ＣＰＵ
１０２  ＲＯＭ
１０３  ＲＡＭ
１０４  操作部
１０５  表示部
１０６  通信Ｉ／Ｆ部
【先行技術文献】
【特許文献】
【００４１】
【特許文献１】特開２０１１−６２９３８号公報
【図１】
2014089599.tif 000003
【図２】
2014089599.tif 000004
【図３】
2014089599.tif 000005
【図４】
2014089599.tif 000006
【図５】
2014089599.tif 000007
【図６】
2014089599.tif 000008
【図７】
2014089599.tif 000009
【図８】
2014089599.tif 000010